(57)【特許請求の範囲】
【請求項１】
電話装置と電話線の間にインターフェースを提供するためのインターフェース回路であって、
前記電話装置と電話線の間に接続され、前記電話装置と前記電話線との間で信号を供給するためのアンプ回路と、
前記アンプ回路に提供され前記アンプ回路が、二極信号を処理することができるように、前記アンプ回路にバイアスを掛けるためのバイアス手段であって、バイアス状態と、非バイアス状態の間を切り換わることのできるバイアス手段と、
前記電話線への前記電話回路の接続を制御するためのフック・スイッチ回路であって、接続状態と非接続状態との間を切り換わることのできるフック・スイッチ回路と、
前記バイアス手段が、前記バイアス状態と前記非バイアス状態との間を切り換わるにつれて、前記フック・スイッチが、前記接続状態と、前記非接続状態との間を切り換わるように、前記バイアス手段を前記フック・スイッチ回路に接続するための手段と、を備えるインターフェース回路。
【請求項２】
請求項１に記載のインターフェース回路において、さらに、前記バイアス手段を前記フック・スイッチ回路に光学的に接続するための光学的接続手段を備えるインターフェース回路。
【請求項３】
請求項２に記載のインターフェース回路において、前記光学的接続手段が、発光を反射するための光学的反射素子を備えるインターフェース回路。
【請求項４】
請求項３に記載のインターフェース回路において、前記光学的接続手段が、さらに、前記光学的反射素子からの反射発光を受光するための複数の感光装置を備え、前記感光装置の中の一方が、前記フック・スイッチ回路に接続していて、前記感光装置の他方が前記アンプ回路に接続しているインターフェース回路。
【請求項５】
請求項１に記載のインターフェース回路において、前記アンプ回路が、第二のアンプ段に接続している第一のアンプ段を備えるインターフェース回路。
【請求項６】
請求項５に記載のインターフェース回路において、さらに、前記第一のアンプ段を前記第二のアンプ段に光学的接続するための手段を備えるインターフェース回路。
【請求項７】
請求項６に記載のインターフェース回路において、前記第一のアンプ段を前記第二のアンプ段に光学的接続するための前記手段が、前記バイアス手段を前記フック・スイッチ回路に光学的接続するインターフェース回路。
【請求項８】
請求項５に記載のインターフェース回路において、さらに、前記第一のアンプ段を前記第二のアンプ段に光学的接続するための光学的反射素子を備えるインターフェース回路。
【請求項９】
請求項８に記載のインターフェース回路において、前記フック・スイッチ回路が、前記フック・スイッチ回路の切り換えを制御するために、前記光学的反射素子に光学的に接続している光学的感知装置を備えるインターフェース回路。
【請求項１０】
請求項１に記載のインターフェース回路において、前記電話装置がモデムであるインターフェース回路。
【請求項１１】
請求項１に記載のインターフェース回路において、前記電話装置がコンピュータであるインターフェース回路。
【請求項１２】
請求項１に記載のインターフェース回路において、前記インターフェース回路が、データ・アクセス装置（ＤＡＡ）であるインターフェース回路。
【請求項１３】
分離アンプであって、
第一のアンプ段と、
第二のアンプ段と、
アンプ回路に接続され、前記アンプ回路が、二極信号を処理することができるように、前記アンプ回路にバイアスを掛けるためのバイアス手段であって、バイアス状態と非バイアス状態との間を切り換えることができるバイアス手段と、
切り換え可能な信号出力を提供するための切り換え可能な信号出力回路であって、前記バイアス手段が前記バイアス状態と非バイアス状態との間を切り換わるにつれて、切り換え可能な信号出力が、第一の状態と第二の状態との間で切り換わるように、前記バイアス手段に接続されている切り換え可能な信号出力回路と、
前記第一のアンプ段を前記第二のアンプ段に光学的に接続するためのものであって、前記バイアス手段を前記切り換え可能な信号出力回路に光学的に接続している光学的接続手段とを備える分離アンプ。
【請求項１４】
請求項１３に記載の分離アンプにおいて、前記光学的接続手段が、
発光を反射するための光学的反射素子と、
前記光学的反射素子からの反射発光を、受光するための複数の感光装置であって、前記感光装置の中の一方が、前記フック・スイッチ回路に接続していて、前記感光装置の他方が、前記第一および第二のアンプ段の中の一つに接続している複数の感光装置とを備える分離アンプ。
【請求項１５】
請求項１３に記載の分離アンプであって、前記分離アンプが、電話線を電話装置に接続し、前記電話線と前記電話装置との間で信号を処理する分離アンプ。
【請求項１６】
請求項１５に記載の分離アンプにおいて、前記の切り換え可能な信号出力が、フック・スイッチを制御し、前記フック・スイッチが、前記電話線への前記電話装置の接続を制御する分離アンプ。
【請求項１７】
電話装置と電話線との間にインターフェースを提供する方法であって、
前記電話装置と前記電話線との間で信号を結合するために、前記電話装置と前記電話線との間にアンプ回路を接続するステップと、
前記アンプ回路が二極信号を処理することができるように、前記アンプ回路にバイアスを掛けるための、前記アンプ回路にバイアス回路を接続するステップであって、前記バイアス回路がバイアス状態と非バイアス状態との間を切り換わることが可能となっているステップと、
前記電話線への前記電話装置の接続を制御するためのフック・スイッチ回路を提供するステップであって、前記フック・スイッチが、接続状態と非接続状態との間を切り換えることが可能となっているステップと、
前記バイアス回路が前記バイアス状態と前記非バイアス状態との間で切り換わるにつれて、前記フック・スイッチ回路が前記接続状態と前記非接続状態との間を切り換わるように、前記フック・スイッチに前記バイアス回路を接続するステップと含む方法。
【請求項１８】
請求項１７に記載の方法において、前記フック・スイッチ回路が、前記バイアス回路に光学的に接続している方法。
【発明の詳細な説明】
発明の背景
モデム等のような電話インターフェース装置は、通常、電話線をコンピュータのようなユーザ装置に接続するために使用される。一般的にいって、これらの装置は、通常、コンピュータに接続するための装置インターフェース、および電話線に接続するための電話線インターフェースを含む。電話線インターフェースは、通常、普通データ・アクセス装置（ＤＡＡ）と呼ばれるタイプの回路を含む。この回路は、種々の電話線信号を送受信し、そうでない場合には、通常必要とする電話線インターフェースの働きをする。
インターフェース装置の上記回路は、ユーザ装置と電話線との間を分離する一方で、コンピュータから信号を受信し、上記信号を電話線に送る分離アンプ回路を含むことができる。アンプ回路は、相互に光学的に分離している一方で、相互に光学的接続している第一および第二の増幅段を含むことができる。通常の方法の場合には、アンプの第一の段が、光学的に第二のアンプ段のホトダイオードのような感光素子に接続している発光ダイオード（ＬＥＤ）のような発光素子を駆動する。光学的接続を行うために、反射ドームが、通常、ＬＥＤおよびホトダイオードを覆うように設置されている。
通常、ユーザ装置から第一のアンプ段に送られた信号は、二極信号である。すなわち、そのレベルが正の電圧と負の電圧との間を変動する信号である。分離アンプが、クリップを起こさないで二極信号を受信することができるようにするために、インターフェース装置は、通常、二極入力信号を処理することができるように、アンプのＤＣレベルを上げるために、アンプにＤＣプリバイアスを継続的に掛けるプリバイアス回路を含む。
インターフェース装置は、また、電流が、公衆電話網（ＰＳＴＮ）と、ユーザ装置との間を流れることができるように、「オフフック」状態で、電話線と接続するようになっている、通常、「フック・スイッチ」と呼ばれる切り換え回路を含むことができる。「オンフック」状態の場合には、ＰＳＴＮに電流が流れるのを防止するために、フック・スイッチはオフになる。従来のフック・スイッチ回路は、制御信号により、ユーザ装置で制御されているリレーを含む。上記信号は、作動した場合、電話線と接続させるためにリレーをオンにし、作動しない場合には、リレーをオフにする。
ある従来システムの場合には、フック・スイッチ制御信号は、フック・スイッチ自身から光学的に分離している。制御信号は、ホトトランジスタまたはホトダイオードのような、感光装置に、光学的に接続しているＬＥＤのような発光素子を作動させる。フック・スイッチ信号が作動した場合には、ホトダイオードは、フック・スイッチをオンにし、それにより、電話線に接続するために、オフフック状態になる。
クラウゼの米国特許第５，５５５，２９３号は、通常の従来技術のインターフェース構成のＤＡＡ電話インターフェース装置を開示している。上記特許２９３が開示しているＤＡＡは、電話線と加入者装置との間で信号を伝送するために使用される複数の段と光学的に接続している分離アンプを含む。上記装置は、またオフフック制御ラインにより駆動される別々のフック・スイッチ回路を含む。オフフック制御装置は、一組のＦＥＴ装置を含むフック・スイッチ回路に光学的に接続している。それ故、上記米国特許は、ライン信号分離／増幅およびフック・スイッチ制御を行うための、個々のそして別々の回路を使用する従来技術のシステムを開示している。
それ故、例えば、ＤＡＡのような従来技術の電話インターフェース装置は、例えば、モデム、コンピュータのようなユーザ装置と、電話ネットワークとの間のインターフェース機能を行い、制御するために多数の回路を含む。このようなハードウェアに重点を置くシステムは、非常に高価になる場合があり、そのため、このようなシステムの電子構成部品の数を減らすことは、全体のサイズおよびコストを削減するために重要であるといえる。
発明の概要
本発明は、電話線と、モデムおよび／またはホスト・コンピュータのようなユーザ装置との間でインターフェースとしての働きをするインターフェース回路および方法に関する。本発明の回路は、ユーザ電話装置と電話線とを接続し、また電話装置と電話線との間で信号の交換をする分離アンプ回路を含む。信号の二極変動を処理することができるように、アンプ回路にバイアスまたはプリバイアスを掛けるため、バイアス手段がアンプ回路に接続している。バイアス手段は、アンプ回路にプリバイアスが掛かっているバイアス状態と、アンプ回路にプリバイアスが掛かっていない非バイアス状態との間を切り換わることができるように、切り換えが可能になっている。インターフェース回路は、また電話線への電話装置の接続を制御するフック・スイッチ回路を含む。フック・スイッチは、電流が電話装置と電話線との間を流れることができる接続状態と、電流が流れることができない非接続状態との間を切り換えることができる。インターフェース回路は、またバイアス手段が、バイアス状態と非バイアス状態との間で切り換えられた場合、フック・スイッチが接続状態と非接続状態との間で切り換わるように、フック・スイッチ回路にバイアス手段を接続するための手段を含む。それ故、本発明は、フック・スイッチを制御すると、アンプに対するプリバイアスが制御され、および／またはアンプに対するプリバイアスを制御すると、フック・スイッチも制御される電話インターフェース回路を提供する。
ある実施形態の場合には、分離アンプ回路は、電話線とユーザ電話装置との間で必要なＤＣ分離を行うために、光学的に相互に接続している第一のアンプ段と第二のアンプ段を含む。光学的接続装置は、反射ドームのような反射素子の下に、ＬＥＤのような発光素子を含む。電流がＬＥＤを通って流れると、反射ドームにより、光がホトトランジスタまたはホトダイオードのような第一の感光装置に送られ、また、第二のアンプ段に接続している第一のアンプ段および第二の感光装置に送られる。ＬＥＤを流れる電流は、また電話線に送られている信号の二極性を処理するために、アンプにＤＣバイアスを掛ける。ＬＥＤを流れる電流は、プリバイアスおよび第一および第二のアンプ段の接続を外部から制御することができるように、トランジスタのようなスイッチへ送られる制御信号により制御される。
ある実施形態の場合には、フック・スイッチ回路は、第一および第二のアンプ段を接続するために使用される同じ光学的反射素子の近くに設置されている、ホトダイオードまたはホトトランジスタのような感光装置を含む。アンプにプリバイアスを掛けるために、プリバイアス信号が作動すると、ＬＥＤからフック・スイッチ回路の感光装置に光が送られる。フック・スイッチがオンになり、その結果、電流が電話線を流れる。そのため、プリバイアス・スイッチを作動するために使用される制御信号も、オフフック状態になるために、フック・スイッチがオンになった場合、プリバイアスもアンプ回路に掛けられるように、フック・スイッチを動作させる。
本発明のインターフェース回路は、プリバイアスの作動とフック・スイッチの機能とを一回の動作で行う。ある実施形態の場合には、この動作は、同じ光学的反射ドームの下で、複数の光学的に接続している回路を形成することにより達成される。より詳細に説明すると、ある実施形態の場合には、第一および第二のアンプ段用の感光装置、およびフック・スイッチ回路およびＬＥＤは、すべて、同じ光学的反射ドームの下に形成される。
本発明の電話インターフェース回路および方法は、従来のアプローチと比較すると多くの利点を持つ。例えば、アンプのプリバイアス機能と、フック・スイッチ機能とを一緒にすることにより、本発明は、回路のスペースおよびコストを削減する。一つの光学的分離／接続装置が、複数のアンプ段およびフック・スイッチ制御回路を光学的に分離し／接続するために使用される。従来使用されていた複数の装置の代わりに、一つの光学的接続装置を使用することにより、回路のスペースとコストが削減されるが、これは競争の激しい無線通信ハードウェア業界においては極めて重要なことである。
また、切り換えプリバイアスを使用することにより、インターフェース回路の全体の電力消費がかなり削減される。それ故、インターフェースが、オフフック状態で使用中の間だけ、プリバイアスが掛けられ、電力が消費される。従来のシステムの場合には、プリバイアスが継続的に掛けられ、その結果、何時でも電力が無駄に消費される。
【図面の簡単な説明】
添付の図面に示す、本発明の好適な実施形態のより詳細な説明を読めば、本発明の上記および他の目的および特徴および利点を理解することができるだろう。全図面中、同じ部品には類似の参照番号がつけてある。図面の縮尺は、必ずしも正確なものではなく、本発明の原理を説明することに重点をおいている。
図１は、本発明のインターフェース回路の一実施形態のブロック図である。
図２は、図１のインターフェース回路の詳細な略図である。
図３は、送信信号が存在していない、オフフック状態でのアンプ出力電圧対時間の簡単なグラフである。
図４Ａは、本発明の回路に送られる、例示としての二極電圧信号の簡単な図である。
図４Ｂは、図４Ａの送信信号がアンプに掛けられた場合の、オフフック状態でのアンプ出力電圧対時間の簡単なグラフである。
図５は、オンフック状態でのアンプ出力電圧対時間の簡単なグラフである。
好適な実施形態の詳細な説明
図１は、本発明のインターフェース回路１０のある実施形態の簡単なブロック図である。回路１０は、ＤＤＡの機能を実行することができ、そのため、コンピュータおよび／またはモデムのようなユーザ装置と、電話線１２により、インターフェース回路１０に接続している公衆電話網（ＰＳＴＮ）との間で、インターフェースとしての働きをする。回路１０は、送信（Ｔｘ）モードおよび受信モードを供給し、送信モードの場合、信号は、ユーザ装置から電話線１２に送られ、受信（Ｒｘ）モードの場合には、信号は電話線１２からユーザ装置へ伝送される。
送信分離アンプは、第一のアンプ段１４および第二のアンプ段１６を含み、これらアンプ段は、光学的接続回路またはオプトカプラ１８により、光学的に相互に分離され、また相互に接続している。ユーザ装置からの送信信号は、Ｔｘライン３７に接続している第一のアンプ段１４のところで受信され、第一のアンプ段１４により増幅、または処理され、オプトカプラ１８により第二のアンプ段１６に送られる。第二のアンプ段１６からの増幅された送信信号は、ハイブリッド・インターフェース回路２０に送られる。上記ハイブリッド・インターフェース回路２０は、２−４線式コンバータとして働き、フック・スイッチ制御ライン２４によりオンになった場合、フック・スイッチ２２を通して、送信信号を電話線１２に送る。
２−４線式コンバータ２０により、回路１０およびユーザ装置は、標準２線チップおよびリング電話線１２を使用する、送信／受信構成で動作することができる。送信モードおよび受信モードは、それぞれ、二本の線を使用し、２−４線式コンバータは、インターフェースの動作モードにより、送信回路および受信回路の間で二本の標準チップおよびリング電話線を切り換える。
アンプのプリバイアスは、ライン２６を通して、オプトカプラ１８により、アンプに送られる。制御ライン２８上のオフフック／プリバイアス制御信号が作動すると、プリバイアスがアンプに送られる。さらに、オフフック／プリバイアス信号が作動すると、インターフェース回路１０は、フック・スイッチ制御ライン２４により、オフフック状態になる。フック・スイッチ制御ライン２４が作動すると、フック・スイッチ２２がオンになり、その結果、電流が、ＰＳＴＮとユーザ装置との間の電話線１２を流れることができる。それ故、分離アンプにプリバイアスを送るのにも、インターフェース回路１０のフック状態、すなわち、フック・スイッチ２２を制御するのにも、一本の制御ライン２８が使用される。制御ライン２８が作動していない場合には、分離アンプ回路にプリバイアスが掛からなくなり、フック・スイッチ２２がオフになり、その結果、電流が電話線１２へまた電話線１２へ流れることができなくなる。
上記回路の受信部分は、プリバイアスおよびフック・スイッチ制御を除けば、送信部分に類似している。受信分離アンプは、光学的接続回路またはオプトカプラ３４により、第二のアンプ段３２に接続している第一のアンプ段３０を含む。ＰＳＴＮからの信号は、電話線１２から、フック・スイッチ２２および２−４線式コンバータ２０を通して、ライン３６に沿って受信回路に転送される。増幅された受信信号は、ライン３８によりユーザ装置に伝送される。
図２は、本発明のインターフェース回路１０のある実施形態のより詳細な略図である。本発明の分離アンプ回路は、抵抗Ｒ１、Ｒ２およびＲ３、アンプ５０および５８および光学的接続回路５２を含み、上記光学的接続回路５２は、ＬＥＤ５３、および感光トランジスタまたはホトダイオード５５および５６含むことができる。分離アンプは、ユニポーラ光起電形アンプである。ライン３７のところのＴｘターミナルに送られた入力信号は、通常、アース電位を挟んで上下に変動する二極正弦波形である。アンプは単端子電源ＶCCから電力の供給を受けているので、アースのところで信号がクリップするのを防止するために、プリバイアスがアンプに掛けられる。ライン８２上の合成アンプ回路の出力電圧Ｖは、下記式により表わされる。
0004564109.tif 000002
ここで、Ｖ0はアンプ５０の入力に送られるピーク電圧である。
Ｋ３＝Ｋ２／Ｋ１
ここで、Ｋ１はＬＥＤ５３を流れる電流の、ホトダイオード５５が発生した電流に対する電流伝達比率であり、
Ｋ２は、ＬＥＤ５３を流れる電流の、ホトダイオード５６が発生する電流に対する電流伝達比率である。
入力信号Ｖ0は、アース電位を中心にして上下に変動するので、また単極の電源ＶCCを使用しているので、プリバイアスがアンプに掛けられ、その結果、ライン８２のところのアンプの出力Ｖは、アース電位よりは上、ＶCCよりは下のレベルのところのＤＣ静出力電圧ＶＱに設定され、ライン３７のところの入力信号は、単端子アンプ５０によりクリップされない。ＶQは、通常、ＶCC／２に設定される。
この場合、送信信号がＴｘターミナルに掛かっていない場合には、すなわち、Ｖ0＝０である場合で、全体の伝達利得Ｋ３＝１と仮定した場合には、式１は下記式のように簡単になる。
0004564109.tif 000003
それ故、例えば、ＶCC＝５ボルト、ＶQ＝２．５ボルトである場合には、Ｒ３／Ｒ２＝１／２になる。必要な１／２比になるように、Ｒ３およびＲ２を選択した場合には、静出力電圧ＶQは、必要なレベルの２．５ボルトになる。
この静出力電圧ＶQは、ＬＥＤ電流Ｉfを流すアンプ５０の非反転ノードのところのノード９１に注入される電流により発生する。その大きさがＩfと同じである、結果として得られる光電流Ｉ1は、ノード９１から流れだし、その結果、ノード９１は、事実上アース電位に維持される。数式で表わせば、Ｉ1（Ｉf）（Ｋ１）となる。ＬＥＤ５３の出力光線も、ホトダイオード５６に当り、電流Ｉ2が、アンプ５８の非反転ノードのところに流れる。その結果、８２のところでの出力電圧Ｖ＝（Ｉ2）（Ｒ３）となる。
それ故、オフフック／プリバイアス信号が作動すると（ロー）、トランジスタ５４が電流Ｉfを流し、その結果、ＬＥＤ５３が発光する。この光は、オプトカプラ５２のところの反射ドームにより、ホトダイオード５５および５６に反射され、その結果、アンプ段５０および５８は、オプトカプラ５２により接続され、ライン８２のところに出力電圧Ｖが送られる。Ｔｘ入力に信号が入力していない場合には、プリバイアスが掛けられ、その結果、ＤＣ静電圧ＶQだけがライン８２のところに現われる。しかし、送信信号が入力している場合には、ライン８２のところの出力電圧Ｖは、式１に示すように変調される。
８２のところの出力信号は、２−４線式コンバータの機能を果たす回路６０に送られ、上記コンバータにより、本発明の回路の送信機能および受信機能を、２−４線式コンバータ６０を通して、標準２線式ＰＳＴＮに接続している４本のラインで実行することができる。送信信号は、ライン８４を通して、フック・スイッチとして機能するペアのＰＮＰダーリントン・トランジスタ６２に送られる。ペアのダーリントン・トランジスタ６２が、ライン８６を通して、飽和状態に作動すると、その中を電流が流れ、ライン８４上の出力信号が、ダイオード・ブリッジ回路６４を通して、電話線１２のチップおよびリング・ラインに送られる。
図２に示すように、本発明のある実施形態の場合には、ペアのダーリントン・トランジスタフック・スイッチ６２は、制御ライン８６を通して動作し、その状態は、光学的接続回路５２のホトトランジスタ５７を通って流れる電流により制御される。ホトトランジスタ５７は、ＬＥＤ５３およびホトダイオード５５および５６用の、同じ反射ドームの下に位置していて、そのため、ＬＥＤ５３を流れる電流は、同時に三つのすべての装置５５、５６および５７に送られる。すでに説明したとおり、オフフック／プリバイアス信号が作動（ロー）し、電流ＩfがＬＥＤ５３を通って流れると、アンプ段５０および５８は一緒に接続される。さらに、ホトトランジスタ５７も、同時に作動し、その結果、ペアのダーリントン・トランジスタ６２を通って電流が流れる。すなわち、フック・スイッチ６２がオンになり、電流が電話線１２を通して流れることができるようになる。回路６６は、電話線からの電流が流れ易いように、低いＤＣ抵抗および高いＡＣインピーダンスを持つジャイレータ回路または電子インダクタである。
インターフェース装置１０の受信回路は、抵抗Ｒ７およびＲ８、アンプ６８および８０、電源回路７８および光学的接続回路７０を含み、上記光学的接続回路７０は、ＬＥＤ７２およびホトダイオード７４および７６、および光学的反射ドームを含む。電話線１２のチップおよびリング・ラインのところで受信した入力信号は、ダイオード・ブリッジ６４により、ダーリントン・トランジスタフック・スイッチ６２を通し、ライン８４を経由して、２−４線式コンバータ６０に送られる。回路６０は、入力信号を受信回路に転送する。アンプ６８の第一の増幅段が、電源７８から電力の供給を受けているＬＥＤ７２を駆動する。回路７８は、電話線１２からの生の電力を使用して、受信回路に調整された電力を供給する。変調した入力信号は、ライン８１に接続している受信回路に送られる。上記信号は、アンプ６８および抵抗Ｒ８を通して、ＬＥＤ７２の出力を変調する。入力信号は、反射ドームにより、光学的接続装置７０を通してホトダイオード７６に送られ、上記ホトダイオードは、この信号をアンプ８０に送信する。処理された受信信号は、ライン３８を通して、ユーザ装置またはモデムに送られ、処理される。
図３−図５は、本発明のインターフェース回路１０の種々の動作状態を示す、電圧対時間のグラフである。このグラフは、ＶCC＝５ボルト、Ｋ３＝１の場合のものである。
図３は、Ｔｘに入力送信信号が存在しない状態、すなわち、Ｖ0＝０の場合の、ライン８２のところの電圧Ｖのグラフである。この図は、またインターフェース回路が、オフフック状態にある場合の状況も示す。この場合、ライン８２のところの出力電圧Ｖは、Ｖ＝ＶQ、静ＤＣ出力電圧である時間の間一定である。
図４Ａは、Ｔｘ入力に掛けられた例示としての時変信号のグラフである。通常、入力信号は、Ｖ0の振幅を持つ二極信号である。すなわち、図４Ａに示すように、信号電圧は、時間の経過とともに、正の値（０ボルト以上）と負の値（０ボルト以下）との間を変動する。
図４Ｂは、本発明のインターフェース回路が、オフフック状態であり、Ｖ0のピーク電圧を持つ図４Ａの二極信号が、Ｔｘ入力に掛けられている状態を示す。ライン８２のところの電圧Ｖは、ＶQのバイアスＤＣ値程度変化する時変信号である。
図５は、システムがオンフック状態、すなわち、オフフック／プリバイアス信号が作動していないで（ハイ）の状態で、そのため、電流ＩfがＬＥＤ５３を通って流れていない状態での、ライン８２のところの電圧Ｖである。この状態の場合、アンプ段５０および５８は、相互に分離され、プリバイアスは回路に掛かっていない。その結果、ライン８２のところの信号Ｖは、０ボルトの一定のレベルである。
好適な実施形態を参照しながら、本発明を詳細に図示し、説明してきたが、当業者なら、下記の請求の範囲に記載する、本発明の精神および範囲から逸脱することなしに、形式および詳細な点を種々に変更することができることを理解することができるだろう。
【図１】
0004564109.tif 000004
【図２】
0004564109.tif 000005
【図３】
0004564109.tif 000006
【図５】
0004564109.tif 000007
【図４Ａ】
0004564109.tif 000008
【図４Ｂ】
0004564109.tif 000009